(57)【要約】      （修正有）【課題】従来の歯ブラシ等では落ち難いタバコのヤニや茶渋などの色素付着物を、歯や歯茎を傷つけることなく、効率良く短時間で除去することが可能な歯磨き具を提供する。【解決の手段】メラミン・樹脂発泡成形体からなるスポンジを有する擦掃部材２を本体の先端部分に使用し簡単で、しかも少量の力で付着物を除去する。【選択図】図２
0003138019.tif 000002
【実用新案登録請求の範囲】
【請求項１】
棒状の軸部材の一端または両端に紡錘形状のメラミン・樹脂を主原料とする樹脂発泡成形体からなるスポンジを有する擦掃部材で構成されたことを特徴とする口腔清拭用の歯磨き具。
【請求項２】
請求項１において、上記軸体の一端の上記擦掃部材が設けられた個所と屈折部を有する棒状の軸部材の一端に円錐形状でとがった上記擦掃部材で構成されたことを特徴とする歯磨き具。
【請求項３】
請求項２において、上記棒状と屈折部を有する棒状の軸部材の両端に上記請求項１の紡錘形状の擦掃部材と上記請求項２の円錐形状でとがった上記擦掃部材を連結構成されたことを特徴とする歯磨き具。
【請求項４】
請求項２において、上記棒状と屈折部を有する棒状の軸部材の両端に上記請求項１の紡錘形状の擦掃部材と上記軸部材の樹脂と同一形成による歯間ブラシを連結構成されたことを特徴とする歯磨き具。
【請求項５】
棒状の軸部材の一端または両端に直方体形状のメラミン・樹脂を主原料とする樹脂発泡成形体からなるスポンジを有する擦掃部材で構成されたことを特徴とする口腔清拭用の歯磨き具。
【請求項６】
請求項５において、上記軸体の一端の上記擦掃部材が設けられた個所と屈折部を有する棒状の軸部材の一端に四角錐形状でとがった上記擦掃部材で構成されたことを特徴とする歯磨き具。
【請求項７】
請求項６において、上記棒状と屈折部を有する棒状の軸部材の両端に上記請求項５の直方体形状の擦掃部材と上記請求項６の四角錐形状でとがった上記擦掃部材を連結構成されたことを特徴とする歯磨き具。
【請求項８】
請求項６において、上記棒状と屈折部を有する棒状の軸部材の両端に上記請求項５の直方体形状の擦掃部材と上記軸部材の樹脂と同一形成による歯間ブラシを連結構成されたことを特徴とする歯磨き具。
【請求項９】
メラミン・樹脂を主原料とする樹脂発泡成形体からなるスポンジを有する擦掃部材の微小な立方体の固まりを樹脂部材で形成された本体の一端の開いた部分の間にを置き金属のリングをスライド移動させることによるはさみ込み着脱交換することが特徴の歯磨き具。
【請求項１０】
請求項９において、上記擦掃部材の微小な立方体の固まりを樹脂部材で形成された本体の一端の開いた部分の間に置き、もう一方の端にあるスイッチ部をワンタッチで押して中心の軸棒をスライド移動させることによるはさみ込み着脱交換することが特徴の歯磨き具。
【請求項１１】
請求項９において、上記擦掃部材の微小な立方体の固まりを円周の一端の曲線を使用し、樹脂部材で形成された本体の一端の開いた部分の間に置き、もう一方の端にあるスイッチ部をワンタッチで押して中心の軸棒をスライド移動させることによりはさみ込み着脱交換することが特徴の歯磨き具。
【考案の詳細な説明】
【技術分野】
【０００１】  本考案は、口腔内汚れ除去機能の向上に関し、とくにタバコのヤニや茶渋などの色素付着物を除去するために用いて有効なものに関する。
【背景技術】
【０００２】  歯の付着物を除去するため従来の技術として一般に行われている方法は、歯ブラシと歯磨き剤による歯磨きが一般的である。しかし、通常の歯磨きでタバコのヤニや茶渋などの色素付着物を除去することは困難であるため、歯面の色素付着物を除去する目的で、無機研磨剤を混入させたヤニ取り用の歯磨き剤が販売されている。【０００３】  歯ブラシとしては、歯の付着物を除去するためにはブラシ毛の硬い歯ブラシ、あるいは、ヤニ取り用として歯ブラシの先端部に硬質の毛が植え付けられているものがある。または、非ブラシ型としては、歯面の付着物をゴムで擦り取るというものである。
【考案の開示】
【考案が解決しようとする課題】
【０００４】  無機研磨剤を混入させたヤニ取り用の歯磨き剤を使った歯磨きでも、なかなか除去されず、ある程度の除去効果がでるようになるまでには、頻繁な歯磨きを長期間続ける必要があった。また、硬質の歯ブラシは、その硬いブラシ毛が歯茎を傷めてしまう懸念が大きい。非ブラシ型ゴム製の擦掃部材を用いた歯磨き具は、歯面の付着物をゴムで擦り取る方式であるが、タバコのヤニや茶渋などの色素付着物が目に見えるかたちで除去されるまでには、そのゴムによる擦掃を何度もくり返すことが必要であり、簡単に除去効果を得られない。また、このゴム製擦掃部材は、歯面と歯間の微小部位に届きにくく、付着物を除去しにくいという問題もあった。【０００５】  本案は以上のような問題を鑑みてなされたもので、その目的は歯の色素付着物にタバコのヤニや茶渋など、従来の歯ブラシ等では落ち難い付着物を、歯や歯茎を傷つけないように、簡単に効率よく除去することが可能な歯磨き具を提供することにある。
【課題を解決するための手段】
【０００６】  上記課題の解決する手段として、本考案は次の手段を提供する。
口腔内の歯などに接触させて汚れを除去するブラシ部材を、本考案はメラミン・樹脂発泡成形体からなるスポンジを有する擦掃部材で、簡単にしかも歯茎を傷つけず、少量の力でタバコのヤニや茶渋など色素付着物を除去することを目的とする。また、綿棒でも落ち難ろを、気軽に安価でということで綿棒タイプにし、劣化対応のためには、交換可能な歯磨き具。
【考案の効果】
【０００７】  口腔内の歯の汚れとくにタバコのヤニや茶渋など、従来の歯ブラシ等では落ち難い色素付着物を、歯や歯茎を傷つけず、短時間で効率良く除去することが可能な歯磨き具を提供することができる。
【考案を実施するための最良の形態】
【０００８】  図１は、請求項１において、本考案に係る歯磨き具の第１実施形態を示すものである。棒状の軸部材の一端または両端に紡錘形状のメラミン・樹脂発泡成形体からなるスポンジスポンジを有する擦掃部材で構成されたことを特徴とする綿棒タイプの歯磨き具。【０００９】  図２は、請求項２において、上記軸体の一端の上記擦掃部材が設けられた個所と屈折部を有する棒状の軸部材の一端に円錐形状でとがった上記擦掃部材で構成されたことを特徴とする上記綿棒タイプの歯磨き具。【００１０】  図３は、請求項３において、上記棒状と屈折部を有する棒状の軸部材の両端に上記図１の紡錘形状の擦掃部材と上記図２の円錐形状でとがった上記擦掃部材を連結構成されたことを特徴とする上記綿棒タイプの歯磨き具。【００１１】  図４は、請求項４において、上記棒状と屈折部を有する棒状の軸部材の両端に上記図１の紡錘形状の擦掃部材と上記軸部材の樹脂と同一形成による歯間ブラシを連結構成されたことを特徴とする上記綿棒タイプの歯磨き具。【００１２】  図５は、請求項５において、棒状の軸部材の一端または両端に直方体形状のメラミン・樹脂発泡成形体からなるスポンジを有する擦掃部材で構成されたことを特徴とする上記綿棒プの歯磨き具。【００１３】  図６は、請求項６において、上記軸体の一端の上記擦掃部材が設けられた個所と屈折部を有する棒状の軸部材の一端に四角錐形状でとがった上記擦掃部材で構成されたことを特徴とする上記綿棒タイプの歯磨き具。【００１４】  図７は、請求項７において、上記棒状と屈折部を有する棒状の軸部材の両端に上記図５の直方体形状の擦掃部材と上記請求項６の四角錐形状でとがった上記擦掃部材を連結構成されたことを特徴とする上記綿棒タイプの歯磨き具。【００１５】  図８は、請求項８において、上記棒状と屈折部を有する棒状の軸部材の両端に上記図５の直方体形状の擦掃部材と上記軸部材の樹脂と同一形成による歯間ブラシを連結構成されたことを特徴とする上記綿棒タイプの歯磨き具。【００１６】  図９は、請求項９において、メラミン・樹脂発泡成形体からなるスポンジを有する擦掃部材の微小な立方体の固まりを樹脂部材で形成された本体の一端の開いた部分の間にを置き金属のリングをスライド移動させることによるはさみ込み着脱交換することが特徴の歯磨き具。【００１７】  図１０は、請求項１０において、上記擦掃部材の微小な立方体の固まりを樹脂部材で形成され一端の開いた部分の間に置き、もう一方の端にあるスイッチ部をワンタッチで押して中心の軸棒をスライド移動させることによるはさみ込み着脱交換することが特徴の歯磨き具。【００１８】  図１１は、請求項１１において、上記擦掃部材の微小な立方体の固まりを円周の一端の曲線を使用し樹脂部材で形成された本体の一端の開いた部分の間に置き、もう一方の端にあるスイッチ部をワンタッチで押して中心の軸棒をスライド移動させることによりはさみ込み着脱交換することが特徴の歯磨き具。
【産業上の利用可能性】
【００１９】  歯の付着物を除去するため、従来の歯ブラシ等では落ち難いタバコのヤニや茶渋などの色素付着物を、歯や歯茎を傷つけることなく、効率良く短時間で除去することが可能な歯磨き具を提供できる。
【図面の簡単な説明】
【００２０】
【図１】本考案の第１の実施の形態を示す歯磨き具の斜視図および断面図・側面図である。
【図２】本考案の第２の実施の形態を示す歯磨き具の斜視図および断面図・側面図である。
【図３】本考案の第３の実施の形態を示す歯磨き具の斜視図および断面図・側面図である。
【図４】本考案の第４の実施の形態を示す歯磨き具の斜視図および断面図・側面図である。
【図５】本考案の第５の実施の形態を示す歯磨き具の斜視図および断面図・側面図である。
【図６】本考案の第６の実施の形態を示す歯磨き具の斜視図および断面図・側面図である。
【図７】本考案の第７の実施の形態を示す歯磨き具の斜視図および断面図・側面図である。
【図８】本考案の第８の実施の形態を示す歯磨き具の斜視図である。
【図９】本考案の第９の実施の形態を示す歯磨き具の斜視図および断面図である。
【図１０】本考案の第１０の実施の形態を示す歯磨き具の斜視図である。
【図１１】本考案の第１１の実施の形態を示す歯磨き具の斜視図である。
【図１２】本考案の第２の実施の形態を示す歯磨き作業の図である。
【符号の説明】
【００２１】    １  軸部材
２  擦掃部材
３  歯間ブラシ
４  断面図
５  側面図
６  グリップ部材
７  リング
８  プッシュハンドル
【図１】
0003138019.tif 000003
【図２】
0003138019.tif 000004
【図３】
0003138019.tif 000005
【図４】
0003138019.tif 000006
【図５】
0003138019.tif 000007
【図６】
0003138019.tif 000008
【図７】
0003138019.tif 000009
【図８】
0003138019.tif 000010
【図９】
0003138019.tif 000011
【図１０】
0003138019.tif 000012
【図１１】
0003138019.tif 000013
【図１２】
0003138019.tif 000014
【手続補正書】
【提出日】平成19年9月7日(2007.9.7)
【手続補正１】
【補正対象書類名】実用新案登録請求の範囲
【補正対象項目名】全文
【補正方法】変更
【補正の内容】
【実用新案登録請求の範囲】
【請求項１】
棒状の樹脂軸部材の一端に紡錘形状のメラミンまたは樹脂を主原料とする樹脂発泡成形体からなるスポンジを有する擦掃部材２で構成されたことを特徴とする歯磨き具。
【請求項２】
棒状の樹脂軸部材の両端の一端に上記請求項１に記載された紡錘形状のメラミンまたは樹脂を主原料とする樹脂発泡成形体からなるスポンジを有する擦掃部材２と、もう一端に上記紡錘形状で同質の擦掃部材２の擦掃面に凹凸を形成した２ｃとの連結により、歯間部での擦掃効果を高めることができることを特徴とする歯磨き具。
【請求項３】
請求項１または請求項２に記載の棒状もしくは、棒状で屈折部を有する樹脂軸部材の一端または両端に上記紡錘形状または上記紡錘形状で擦掃部材２の擦掃面に凹凸を形成したものまたは円錐形状でとがった形状・直方体形状・直方体形状の擦掃部材２の擦掃面の片方に凹凸を形成したものまたは四角錐形状でとがったものなどメラミンまたは樹脂を主原料とする樹脂発泡成形体からなるスポンジを有する擦掃部材２で構成され、また、上記樹脂軸部材の樹脂と同一形成による歯間ブラシなど、いずれかの形状もしくは、対をなす異なった形状の組み合わせを特徴とする歯磨き具。
【請求項４】
上記請求項１または請求項２または請求項３に記載の歯磨き具の同時成形にあたっては、樹脂軸棒材とメラミンまたは樹脂を主原料とする樹脂発泡成形体からなるスポンジを有する擦掃部材２の接点は、ローレット状にして処理することを特徴とする歯磨き具。
【請求項５】
樹脂部材で形成されたはさみ込み型の本体は、樹脂グリップ部材の中央から、アール曲線を描きＶ字状に２つにわかれた先端の内側にズレ防止の突起をもうけ、外側にまわした金属のリングの内側の突起部分を、本体の側面部分にきざみ込まれた溝にそってスライド移動させることによって固定し、先端部の開いた内側部分の間だにおいたメラミンまたは樹脂を主原料とする樹脂発泡成形体からなるスポンジを有する擦掃部材２の微小な立方体の固まりをはさみ込んで使用することができ、また、擦掃部材２の微小で色々な型の立方体の固まりを交換できることが特徴とする歯磨き具。
【請求項６】
樹脂部材で形成されたはさみ込み型の本体は、樹脂グリップ部材の中央から、水平にのばしＶ字状に２つにわかれた先端部の上角部分に双方とも同じ丸みをつけ先端部の内側にズレ防止の突起をもうけ、外側にまわした金属のリングの内側の突起部分を、本体の側面部分にきざみ込まれた丸溝にそってスライド移動させることによって固定し、先端の開いた内側部分の間においたメラミンまたは樹脂を主原料とする樹脂発泡成形体からなるスポンジを有する擦掃部材２の微小な立方体の固まりをはさみ込んで使用することができ、また擦掃部材２の微小で色々な型の立方体の固まりを交換できることを特徴とする歯磨き具。
【請求項７】
擦掃部材２をはさみ込む型の本体は、樹脂部材で形成され、樹脂グリップ部材６の中心内部に、スプリングバネに樹脂軸棒材８を通して構成され、本体の樹脂グリップ部材６の一端に突き出た樹脂軸棒材８のスイッチ部をワンタッチで押して中心内部の樹脂軸棒材８をスライド移動させることにより、もう一端の先端部の開いた内側部分の間においたメラミンまたは樹脂を主原料とする樹脂発泡成形体からなるスポンジを有する擦掃部材２の微小な立方体の固まりを押し、はさみ込んで使用することができ、また、擦掃部材２の微小で色々な型の立方体の固まりを交換使用することができることを特徴とする歯磨き具。
【請求項８】
擦掃部材２をはさみ込む型の本体は、円周の一端のなだらかな曲線を使用し、樹脂部材で形成され、本体の樹脂グリップ部材６の中心内部に、円周の一端のなだらかな曲線にあわし、スプリングバネに樹脂軸棒材８を通して構成され、本体の樹脂グリップ部材６の一端に突き出た樹脂軸棒材８のスイッチ部をワンタッチで押して中心内部の樹脂軸棒材８をスライド移動させることにより、同時にスプリングバネも絞られ、もう一端の先端部内部の樹脂軸棒材８の先端部に取り付けたはさみ込み部材が開き、その開いた間に、メラミンまたは樹脂を主原料とする樹脂発泡成形体からなるスポンジを有する擦掃部材２の微小な立方体の固まりをおき、スイッチ部を押した指をはなすことによりスプリングバネの反発で中心内部の樹脂軸棒材８をスライド移動でもとの位置に戻させる力が働き、そのことによって先端部のはさみ込み部材閉じ、同時に開いた間においた擦掃部材２をはさみ込み固定して使用することができ、また、擦掃部材２の微小で色々な型の立方体の固まりを交換使用することができることを特徴とする歯磨き具。
【請求項９】
樹脂部材で形成されたはさみ込み型の本体は、２本の樹脂グリップ部材６をやや後方の機転部で繋ぎ、その中心軸部材にクリップバネを取りつけ、樹脂グリップ部材の中央部から先端部にかけて、アール曲線を描きＶ字状に２つにわかれた先端の内側にズレ防止の突起をもうけ、樹脂グリップ部材の機転部より後方をハンドル部とし、その部分を指２本ではさみ込む力で機転部より先端部にかけて開き、その開いた先端部の内側部分の間においた、メラミンまたは樹脂を主原料とする樹脂発泡成形体からなるスポンジを有する擦掃部材２の微小な立方体の固まりを、ハンドル部のはさみ込んだ力を抜く事により樹脂グリップ部材６の先端部が閉じ、先端部の間にはさみ込まれた擦掃部材２の微小な立方体の固まりは、先端部の内側にもうけたズレ防止の突起により固定され使用することができ、また、擦掃部材２の微小で色々な型の立方体の固まりを交換使用することができることを特徴とする歯磨き具。
【請求項１０】
樹脂部材で形成されたはさみ込み型の本体は、超細みの台形で上下２枚の樹脂グリップ部材６を重ね、やや後方の機転部で繋ぎ、その中心軸部材にクリップバネを取りつけ、樹脂グリップ部材の中央部から先端部にかけて、ゆるいアーム曲線を描き先端部の内側にズレ防止の突起をもうけ、樹脂グリップ部材の機転部より後方をハンドル部とし、その部分を指２本ではさみ込む力で機転部より先端部にかけて開き、その開いた先端部の内側部分の間においた、メラミンまたは樹脂を主原料とする樹脂発泡成形体からなるスポンジを有する擦掃部材２の微小な立方体の固まりを、ハンドル部のはさみ込んだ力を抜く事により樹脂グリップ部材６の先端部が閉じ、先端部の間にはさみ込まれた擦掃部材２の微小な立方体の固まりは、先端部の内側にもうけたズレ防止の突起により固定され使用することができ、また、擦掃部材２の微小で色々な型の立方体の固まりを交換使用することができることを特徴とする歯磨き具。
【手続補正２】
【補正対象書類名】明細書
【補正対象項目名】全文
【補正方法】変更
【補正の内容】
【考案の詳細な説明】
【技術分野】
【０００１】  本考案は、口腔内汚れ除去機能の向上に関し、とくにタバコのヤニや茶渋などの色素付着物を除去するために用いて有効なものに関する。
【背景技術】
【０００２】  歯の付着物を除去するため従来の技術として一般に行われている方法は、歯ブラシと歯磨き剤による歯磨きが一般的である。しかし、通常の歯磨きでタバコのヤニや茶渋などの色素付着物を除去することは困難であるため、歯面の色素付着物を除去する目的で、無機研磨剤を混入させたヤニ取り用の歯磨き剤が販売されている。【０００３】  歯ブラシとしては、歯の付着物を除去するためにはブラシ毛の硬い歯ブラシ、あるいは、ヤニ取り用として歯ブラシの先端部に硬質の毛が植え付けられているものがある。または、非ブラシ型としては、歯面の付着物をゴムで擦り取るというものである。
【考案の開示】
【考案が解決しようとする課題】
【０００４】  無機研磨剤を混入させたヤニ取り用の歯磨き剤を使った歯磨きでも、なかなか除去されず、ある程度の除去効果がでるようになるまでには、頻繁な歯磨きを長期間続ける必要があった。また、硬質の歯ブラシは、その硬いブラシ毛が歯茎を傷めてしまう懸念が大きい。非ブラシ型ゴム製の擦掃部材を用いた歯磨き具は、歯面の付着物をゴムで擦り取る方式であるが、タバコのヤニや茶渋などの色素付着物が目に見えるかたちで除去されるまでには、そのゴムによる擦掃を何度もくり返すことが必要であり、簡単に除去効果を得られない。また、このゴム製擦掃部材は、歯面と歯間の微小部位に届きにくく、付着物を除去しにくいという問題もあった。【０００５】  本案は以上のような問題を鑑みてなされたもので、その目的は歯の色素付着物にタバコのヤニや茶渋など、従来の歯ブラシ等では落ち難い付着物を、歯や歯茎を傷つけないように、簡単に効率よく除去することが可能な歯磨き具を提供することにある。
【課題を解決するための手段】
【０００６】  上記課題の解決する手段として、本考案は次の手段を提供する。
口腔内の歯などに接触させて汚れを除去するブラシ部材を、本考案はメラミンまたは樹脂発泡成形体からなるスポンジを有する擦掃部材で、簡単にしかも歯茎を傷つけず、少量の力でタバコのヤニや茶渋など色素付着物を除去することを目的とする。また、綿棒でも落ち難いところを、気軽に安価でということで綿棒タイプにし、劣化対応のためには、交換可能な歯磨き具。
【考案の効果】
【０００７】  口腔内の歯の汚れとくにタバコのヤニや茶渋など、従来の歯ブラシ等では落ち難い色素付着物を、歯や歯茎を傷つけず、短時間で効率良く除去することが可能な歯磨き具を提供することができる。また、本考案の他の対応としては、カメラ・メガネのレンズ、陶磁器・金属類の細部磨き、サイズを拡大すれば、車のフレーム部等の汚れ除去にも最適です。
【考案を実施するための最良の形態】
【０００８】  図１は、請求項１において、本考案に係る歯磨き具の第１実施形態を示すものである。棒状の軸部材の一端または両端に紡錘形状のメラミンまたは樹脂発泡成形体からなるスポンジを有する擦掃部材で構成されたことを特徴とし、同図の（ｂ）に示すように、擦掃部材２の擦掃面に凹凸を形成した２ｃとの連結構成されたことを特徴とする綿棒タイプの歯磨き具。【０００９】  図２は、請求項２において、上記軸体の一端の上記擦掃部材が設けられた個所と屈折部を有する棒状の軸部材の一端に円錐形状でとがった上記擦掃部材で構成されたことを特徴とする上記綿棒タイプの歯磨き具。【００１０】  図３は、本考案の第１図と第２図の実施の形態を示す歯磨き作業の図である。【００１１】  図４は、請求項３において、上記棒状と屈折部を有する棒状の軸部材の両端に上記図１の紡錘形状の擦掃部材と上記図２の円錐形状でとがった上記擦掃部材を連結構成されたことを特徴とし、同図（ｂ）においては、紡錘形状の擦掃部材２の擦掃面に凹凸を形成した２ｃと上記円錐形状でとがった上記擦掃部材を連結構成したことを特徴とする上記綿棒タイプの歯磨き具。【００１２】  図５は、請求項４において、上記棒状と屈折部を有する棒状の軸部材の両端に上記図１の紡錘形状の擦掃部材と上記軸部材の樹脂と同一形成による歯間ブラシを連結構成されたことを特徴とする上記綿棒タイプの歯磨き具。【００１３】  図６は、請求項５において、棒状の軸部材の一端または両端に直方体形状のメラミンまたは樹脂発泡成形体からなるスポンジを有する擦掃部材で構成されたことを特徴とし、また、（ｂ）においては、直方体形状の擦掃部材と直方体形状の擦艘部材２の擦掃面に凹凸を形成した２ｄとの連結構成されたことを特徴とする上記綿棒タイプの歯磨き具。【００１４】  図７は、請求項６において、上記軸体の一端の上記擦掃部材が設けられた個所と屈折部を
0003138019.tif 000015
とする上記綿棒タイプの歯磨き具。【００１５】  図８は、請求項７において、上記棒状と屈折部を有する棒状の軸部材の両端に上記図５の直方体形状の擦掃部材と上記請求項６の四角錐形状でとがった上記擦掃部材を連結構成されたことを特徴とし、同図（ｂ）においては、上記直方体形状の擦掃部材２の擦掃面に凹凸を形成した２ｄと、上記四角錐形状でとがった上記擦掃部材を連結構成したことを特徴とする上記綿棒タイプの歯磨き具。【００１６】  図９は、請求項８において、上記棒状と屈折部を有する棒状の軸部材の両端に上記図５の直方体形状の擦掃部材と上記軸部材の樹脂と同一形成による歯間ブラシを連結構成されたことを特徴とする上記綿棒タイプの歯磨き具。【００１７】  図１０は、請求項９において、メラミンまたは樹脂発泡成形体からなるスポンジを有する擦掃部材の微小な立方体の固まりを樹脂部材で形成された本体の一端の開いた部分の間に置き金属のリングをスライド移動させ、樹脂グリップ部材につけた溝において固定することによるはさみ込み着脱交換することが特徴の歯磨き具。【００１８】  図１１は、請求項１０において、メラミンまたは樹脂発泡成形体からなるスポンジを有する擦掃部材の微小な立方体の固まりを樹脂部材で形成された本体の一端の開いた部分の間に置き金属のリングをスライド移動させ、樹脂グリップ部材につけた丸穴おいて固定することによるはさみ込み着脱交換することが特徴の歯磨き具。【００１９】  図１２は、請求項１１において、上記擦掃部材の微小な立方体の固まりを樹脂部材で形成された本体グリップ部材の一端の開いた部分の間に置き、もう一方の端にあるスイッチ部をワンタッチで押して中心の軸棒をスライド移動させることによるはさみ込み着脱交換することが特徴の歯磨き具。【００２０】  図１３は、請求項１２において、上記擦掃部材の微小な立方体の固まりを円周の一端の曲線を使用し樹脂部材で形成された本体グリップ部材の一端の開いた部分の間に置き、もう一方の端にあるスイッチ部をワンタッチで押して中心の軸棒をスライド移動させることによりはさみ込み着脱交換することが特徴の歯磨き具。【００２１】  図１４は、請求項１３において、上記擦掃部材の微小な立方体の固まりを樹脂部材で形成された本体グリップ部材の一端の開いた部分のグリップをつまむと、もう一方の端にある先端部が開き、その開いた部分の間に置くことによるはさみ込み着脱交換することが特徴の歯磨き具。
【産業上の利用可能性】
【００２２】  歯の付着物を除去するため、従来の歯ブラシ等では落ち難いタバコのヤニや茶渋などの色素付着物を、歯や歯茎を傷つけることなく、効率良く短時間で除去することが可能な歯磨き具を提供できる。また、本考案の他の対応としては、カメラ・メガネのレンズ、陶磁器・金属類の細部磨き、サイズを拡大すれば、車のフレーム部等の汚れ除去にも最適です。
【図面の簡単な説明】
【００２３】
【図１】本考案の第１の実施の形態を示す歯磨き具の斜視図および断面図・側面図である。
【図２】本考案の第２の実施の形態を示す歯磨き具の斜視図および断面図・側面図である。
【図３】本考案の第１、第２の実施の形態を示す歯磨き作業の図である。
【図４】本考案の第３の実施の形態を示す歯磨き具の斜視図および断面図・側面図である。
【図５】本考案の第４の実施の形態を示す歯磨き具の斜視図および断面図・側面図である。
【図６】本考案の第５の実施の形態を示す歯磨き具の斜視図および断面図・側面図である。
【図７】本考案の第６の実施の形態を示す歯磨き具の斜視図および断面図・側面図である。
【図８】本考案の第７の実施の形態を示す歯磨き具の斜視図および断面図・側面図である。
【図９】本考案の第８の実施の形態を示す歯磨き具の斜視図である。
【図１０】本考案の第９の実施の形態を示す歯磨き具の斜視図および断面図である。
【図１１】本考案の第１０の実施の形態を示す歯磨き具の斜視図である。
【図１２】本考案の第１１の実施の形態を示す歯磨き具の斜視図である。
【図１３】本考案の第１２の実施の形態を示す歯磨き具の斜視図である。
【図１４】本考案の第１３の実施の形態を示す歯磨き具の斜視図である。
【符号の説明】
【００２４】  １    軸部材
２    擦掃部材
３    歯間ブラシ
４    断面図
５    側面図
６    グリップ部材
７    リング
８    プッシュハンドル
２ｃ  凹凸のある紡錘形状の擦掃部材
２ｄ  凹凸のある直方体形状の擦掃部材
【手続補正３】
【補正対象書類名】図面
【補正対象項目名】全図
【補正方法】変更
【補正の内容】
【図１】
0003138019.tif 000016
【図２】
0003138019.tif 000017
【図３】
0003138019.tif 000018
【図４】
0003138019.tif 000019
【図５】
0003138019.tif 000020
【図６】
0003138019.tif 000021
【図７】
0003138019.tif 000022
【図８】
0003138019.tif 000023
【図９】
0003138019.tif 000024
【図１０】
0003138019.tif 000025
【図１１】
0003138019.tif 000026
【図１２】
0003138019.tif 000027
【図１３】
0003138019.tif 000028
【図１４】
0003138019.tif 000029